(57)【要約】【課題】対象物に付ける表示ラベルを管理するために便利なラベルシートを提供する。【解決手段】ラベルシートＬＳは１枚の管理ラベルＬａとその管理ラベルＬａに連設する所定複数枚の表示ラベルＬｂで構成される。対象物に付ける表示ラベルＬｂには、対象物に関する所定の情報が表示され、その表示ラベルＬｂを管理するための管理ラベルＬｂには、情報の内容が表示ラベルに表示する情報としては適当ではない、表示ラベルの用途や取り扱いに関する管理情報が表示される。【選択図】      図１
2007256816.tif 000002
【特許請求の範囲】
【請求項１】
所定の表示情報を表示し対象物に付ける表示ラベルと、この表示ラベルを管理する管理ラベルを設けてなり、前記管理ラベルには、情報の内容が前記表示ラベルに表示する表示情報としては適当ではない前記表示ラベルの管理情報が表示されていることを特徴とするラベルシート。
【請求項２】
前記表示情報及び前記管理情報は、文字情報、あるいは所定の情報をコード化したコードのシンボル画像を含む画像情報で構成することを特徴とする請求項１に記載のラベルシート。
【請求項３】
前記管理情報は、前記表示ラベルの用途に関する情報を含んでいることを特徴とする請求項１又は２に記載のラベルシート。
【請求項４】
前記管理情報は、前記表示ラベルの取り扱いに関する情報を含んでいることを特徴とする請求項１又は２に記載のラベルシート。
【請求項５】
前記表示情報と前記管理情報とは、異なる言語で表現された情報であることを特徴とする請求項１又は２に記載のラベルシート。
【請求項６】
前記表示ラベルは複数枚が連設され、その端部に前記管理ラベルが連設されていることを特徴とする請求項１ないし５の何れかに記載のラベルシート。
【請求項７】
対象物に付ける表示ラベルと、その表示ラベルを管理する管理ラベルを有するラベルシートを被印字媒体に形成するラベル作成装置であって、
被印字媒体に情報を印字する印字手段と、
前記表示ラベルに表示する情報を記憶する表示情報記憶手段と、
前記管理ラベルに表示する情報として、その情報の内容が前記表示ラベルに表示する表示情報としては適当ではない前記表示ラベルの管理情報を記憶する管理情報記憶手段と、
前記表示情報記憶手段に記憶された表示情報及び前記管理情報記憶手段に記憶された管理情報の印字パターンデータを生成する印字データ生成手段と、
前記印字データ生成手段によって生成された印字パターンデータを前記印字手段に供給し被印字媒体に前記表示情報及び前記管理情報を印字させて前記表示ラベル及び前記管理ラベルを有するラベルシートを形成する印字制御手段と、
を備えたことを特徴とするラベル作成装置。
【請求項８】
前記印字データ作成手段は、前記表示情報記憶手段及び前記管理情報記憶手段に記憶する前記表示情報及び前記管理情報の少なくとも一方の情報をコード化したコードのシンボル画像の印字パターンデータを作成するコード画像データ作成手段を備え、
前記印字制御手段は、前記印字データ生成手段によって作成された印字パターンデータに基づいて、前記印字手段によって前記表示情報及び前記管理情報の少なくとも一方の情報をコードのシンボル画像で印字することを特徴とする請求項７に記載のラベル作成装置。
【請求項９】
更に、前記表示ラベルの印字枚数を指定する印字枚数指定手段を備え、
前記印字制御手段は、前記印字手段によって前記表示情報の印字を指定された印字枚数だけ繰り返すことを特徴とする請求項７に記載のラベル作成装置。
【請求項１０】
前記被印字媒体は、印字が行われる印字テープ層、貼着層及び剥離テープ層の積層構造を有するテープ状被印字媒体で構成し、
更に、前記テープ状被印字媒体の前記印字テープ層のみを切断するハーフカットを行うハーフカット手段を備え、
前記制御手段は、前記ハーフカット手段により前記表示ラベル及び前記管理ラベルの領域の境界でハーフカットを行うことを特徴とする請求項７に記載のラベル作成装置。
【発明の詳細な説明】
【技術分野】
【０００１】
本発明は、対象物に付ける表示ラベルを設けたラベルシート、及びそのラベルシートを印字するラベル作成装置に関する。
【背景技術】
【０００２】
従来、商品などに付ける商品ラベルとチェック用のインデックスラベルを備えたラベルシート、及びそのラベルシートの作成装置が提案されている（下記の特許文献１）。このラベルシートは、商品又はその包装に付ける所定枚数の商品ラベルとデータチェック用のインデックスラベルとを連設してなり、商品ラベルには文字、数値等のデータが印字され、インデックスラベルには商品ラベルに印字された数値データに対応するバーコードが印字されている。そして、このラベルシートは、作成装置の入力部から品名コードを入力し、その品名コードに対応する商品の印字データをメモリから読み出し、その印字データと入力部から入力した数値データをラベルプリンタに供給して商品ラベルを印字する一方、商品ラベルに印字する数値データに対応するバーコードデータを作成してインデックスラベルに印字することにより作成される。
【特許文献１】特開平７−１２９０８７号公報
【発明の開示】
【発明が解決しようとする課題】
【０００３】
従来は、商品に関する情報を表示する商品ラベルと、その商品ラベルの表示情報をコード化したコード情報を表示するインデックスラベルとを組み合わせることによりラベルシートを構成するものであり、商品ラベルに表示される数値データとインデックスラベルに表示するコード画像とが対応しているため、インデックスラベルのコード情報を読み取ることにより商品ラベルに表示される数値データのチェックを行うことができる。
【０００４】
ところで、商品ラベルなどの表示ラベルでは、その表示ラベル上に表示することが必ずしも適当でない、あるいは表示することが不適当ではあるが、その表示ラベルを管理するときに必要であったり便利であったりする情報がある。しかしながら、上記従来のラベルシートでは、商品ラベルとインデックスラベルとに表示される情報が対応しており、それらの共通の情報は単に商品に関する数値データなどであるため、上記のような事情があるときにそれに対応することはできない。
【０００５】
本発明は、従来の問題を解決するものであり、対象物に付ける表示ラベルを適切に管理することができるラベルシート、及びラベル作成装置を提供することを目的とする。
【課題を解決するための手段】
【０００６】
本発明のラベルシートは、所定の表示情報を表示し対象物に付ける表示ラベルと、この表示ラベルを管理する管理ラベルを設けてなり、前記管理ラベルには、情報の内容が前記表示ラベルに表示する表示情報としては適当ではない前記表示ラベルの管理情報が表示されていることを特徴とする。
【０００７】
前記ラベルシートにおいて、前記表示情報及び前記管理情報は、文字情報、あるいは所定の情報をコード化したコードのシンボル画像を含む画像情報で構成することを特徴とする。
【０００８】
また、前記ラベルシートにおいて、前記管理情報は、前記表示ラベルの用途に関する情報を含んでいることを特徴とする。
【０００９】
また、前記ラベルシートにおいて、前記管理情報は、前記表示ラベルの取り扱いに関する情報を含んでいることを特徴とする。
【００１０】
また、前記ラベルシートにおいて、前記表示情報と前記管理情報とは、異なる言語で表現された情報であることを特徴とする。
【００１１】
また、前記ラベルシートにおいて、前記表示ラベルは複数枚が連設され、その端部に前記管理ラベルが連設されていることを特徴とする。
【００１２】
また、本発明のラベル作成装置は、対象物に付ける表示ラベルと、その表示ラベルを管理する管理ラベルを有するラベルシートを被印字媒体に形成するラベル作成装置であって、
被印字媒体に情報を印字する印字手段と、前記表示ラベルに表示する情報を記憶する表示情報記憶手段と、前記管理ラベルに表示する情報として、その情報の内容が前記表示ラベルに表示する表示情報としては適当ではない前記表示ラベルの管理情報を記憶する管理情報記憶手段と、前記表示情報記憶手段に記憶された表示情報及び前記管理情報記憶手段に記憶された管理情報の印字パターンデータを生成する印字データ生成手段と、前記印字データ生成手段によって生成された印字パターンデータを前記印字手段に供給し被印字媒体に前記表示情報及び前記管理情報を印字させて前記表示ラベル及び前記管理ラベルを有するラベルシートを形成する印字制御手段とを備えたことを特徴とする。
【００１３】
前記ラベル作成装置において、前記印字データ作成手段は、前記表示情報記憶手段及び前記管理情報記憶手段に記憶する前記表示情報及び前記管理情報の少なくとも一方の情報をコード化したコードのシンボル画像の印字パターンデータを作成するコード画像データ作成手段を備え、前記印字制御手段は、前記印字データ生成手段によって作成された印字パターンデータに基づいて、前記印字手段によって前記表示情報及び前記管理情報の少なくとも一方の情報をコードのシンボル画像で印字することを特徴とする。
【００１４】
また、前記ラベル作成装置において、更に、前記表示ラベルの印字枚数を指定する印字枚数指定手段を備え、前記印字制御手段は、前記印字手段によって前記表示情報の印字を指定された印字枚数だけ繰り返すことを特徴とする。
【００１５】
また、前記ラベル作成装置において、前記被印字媒体は、印字が行われる印字テープ層、貼着層及び剥離テープ層の積層構造を有するテープ状被印字媒体で構成し、更に、前記印字テープ層のみを切断するハーフカットを行うハーフカット手段を備え、前記制御手段は、前記ハーフカット手段により前記表示ラベル及び前記管理ラベルの領域の境界でハーフカットを行うことを特徴とする。
【発明の効果】
【００１６】
本発明のラベルシートによれば、対象物に付ける表示ラベルに所定の表示情報を表示する一方、管理用ラベルを設けて、その管理用ラベルには、情報の内容が表示ラベルに表示する表示情報としては適当ではない表示ラベルの管理情報を表示してラベルシートを構成するため、表示ラベルに表示することは憚られるがラベル管理上では必要な情報を管理ラベルに表示することができるため、表示ラベルを適切に管理できるラベルシートを提供することができる。
【００１７】
また、本発明のラベル作成装置によれば、対象物に付ける所定の情報を表示する表示ラベルを印字すると共に、情報の内容が表示ラベルに表示する表示情報としては適当ではない表示ラベルの管理情報を表示する管理ラベルを印字してラベルシートを作成するため、表示ラベルを適切に管理できるラベルシートを作成することができる。
【発明を実施するための最良の形態】
【００１８】
以下、本発明の実施形態について図面を参照して説明する。図１ないし図５は本実施の形態に係るラベルシートを示している。このラベルシートＬＳはそれぞれ管理ラベルＬａと表示ラベルＬｂとを有している。表示ラベルＬｂは商品などの対象物に関する情報を表示しその対象物に貼着するものであり、管理ラベルＬａは表示ラベルＬｂを管理するために用いられる。図１ないし図５に図示するように、ラベルシートＬＳは、１枚の管理ラベルＬａとその管理ラベルＬａに連設された所定複数枚の表示ラベルＬｂとで構成される。このラベルシートＬＳが形成されるシート材には、テープ状被印字媒体が使用される。このテープ状被印字媒体は、裏面に糊付がされ表面にラベルが印字される印字テープ層と、その印字テープ層の糊付された裏面側に積層される剥離テープ層で構成されている。そして、このテープ状被印字媒体の印字テープ層の長さ方向に沿って各ラベル領域が設定され、剥離テープ層を残して印字テープ層をハーフカットＨＣの切断により区画して１枚の管理ラベルＬａと所定複数枚の表示ラベルＬｂとが各ラベル領域に印字によって形成される。
【００１９】
このラベルシートＬＳには複数種類の表示形式のものがあり、図１及び図３のように管理ラベルＬａと表示ラベルＬｂがそれぞれ文字で表示されるもの、図２のように管理ラベルＬａには２次元コード（ＱＲコード）が表示され、表示ラベルＬｂには文字が表示されるもの、図４のように管理ラベルＬａには文字が表示され、表示ラベルＬｂにはＱＲコードが表示されるもの、あるいは、図５のように管理ラベルＬａには写真画像が表示され、表示ラベルＬｂには文字が表示されるものなどがある。
【００２０】
例えば、図１（ａ）のラベルシートＬＳでは、「２４ｈＭａｒｔ（株）向け、消費期限要冷蔵２４時間用ラベル」の文字が管理ラベルＬａに印字され、表示ラベルＬｂには、「冷蔵庫に保管しお早めにお召し上がり下さい、２４ｈＭａｒｔ」の文字が印字されている。また、図１（ｂ）のラベルシートＬＳでは、管理ラベルＬａに「「○△Ｓｔｏｒｅ（株）向け、消費期限未開封1週間ラベル」の文字が印字され、表示ラベルＬｂに「開封後はなるべくお早くお召し上がり下さい、○△Ｓｔｏｒｅ」の文字が印字されている。また、図１（ｃ）のラベルシートＬＳでは、「（用途）レンタルＰＣ取扱説明書用、（貼付箇所）取扱説明書の表紙」の文字が管理ラベルＬａに印字され、表示ラベルＬｂには、「本体の返却の際は、この取扱説明書も必ず一緒に返却願います、○×○レンタル（株）」の文字が印字されている。
【００２１】
このように、表示ラベルＬｂにはそのラベルを貼り付ける対象物に関する情報が表示され、管理ラベルＬａには、その表示ラベルＬｂの用途や取り扱いに関する内容が表示される。すなわち、図１（ａ）に示すラベルシートＬＳの表示ラベルＬｂは、２４ｈＭａｒｔ（株）向けの商品に貼着するものであり、図１（ｂ）に示すラベルシートＬＳの表示ラベルＬｂは、○△Ｓｔｏｒｅ（株）向けの商品に貼着するものであり、それらのラベルシートＬＳの管理ラベルＬａには、それぞれの表示ラベルＬｂが特定の顧客先の特定の商品に用いるものであることを表す、その表示ラベルＬｂの管理のための情報が表示されている。また、図１（ｃ）に示すラベルシートＬＳの表示ラベルＬｂは、レンタルＰＣに関連して所定の注意書きが表示されており、その管理ラベルＬａには、その表示ラベルＬｂを用いる対象物や貼着位置などを指示する内容が表示されている。管理ラベルＬａに表示されるこのような管理情報は、表示ラベルＬｂに表示する内容としては適当な内容ではなく、表示ラベルＬｂに表示することはできない。そこで、表示ラベルＬｂには表示することはできないが表示ラベルＬｂの管理のためには必須の管理情報を表示する管理ラベルＬａを表示ラベルＬｂとは別にラベルシートＬＳに設けることにより、その管理ラベルＬａを参照して表示ラベルＬｂの管理を間違いなく容易に行うことができるようにしている。
【００２２】
図２に示す各ラベルシートＬＳは管理ラベルＬａにＱＲコードを表示するものであり、図１の各管理ラベルＬａに表示する文字情報をＱＲコードにコード化し、そのＱＲコードのシンボル画像を表示するものである。このように、文字情報をＱＲコードにコード化することによって小さな管理ラベルＬａのラベル領域により多くの管理情報を効率よく収めることができる。
【００２３】
また、図３に示すラベルシートＬＳは海外向けの電子機器に貼着する内蔵電池の交換時期の注意ラベルであり、その内容が表示ラベルＬｂには英語で表記され、管理ラベルＬａには日本語で表記されている。ラベルシートＬＳの取扱者が英語表記の内容の理解に不自由であっても、表示ラベルＬｂに日本語表記をすることはできないが、管理ラベルＬａを設けてその管理ラベルＬａの表記を取扱者に合わせた理解可能な言語とすることにより、表示ラベルＬｂの取扱及び管理を間違いなく容易に行うことができる。このように、管理ラベルＬａと表示ラベルＬｂに表示する文字情報を異なる言語で表現してラベルシートＬＳを作成することができる。
【００２４】
また、図４のラベルシートＬＳは無農薬野菜に付けるＱＲコードの表示ラベルＬｂとその管理ラベルＬａを組み合わせたものである。表示ラベルＬｂにはその無農薬野菜に関する生産者の名前、産地、調理法などの情報がコード化されて保持されており、そのコード情報を携帯電話などにより読み取ることができるようになっている。このようなＱＲコードの表示ラベルＬｂは目視により内容を確認することができないが、文字によりその表示ラベルＬｂの名称や用途あるいは貼付箇所などの情報を表示した管理ラベルＬａを設けることで、ラベルシートＬＳの取扱者は容易に間違いなく表示ラベルＬｂを取り扱うことができる。
【００２５】
また、図５のラベルシートＬＳはレンタルＰＣに用いるものであり、その管理ラベルＬａには写真画像によって表示ラベルＬｂを貼着する対象物及び貼着箇所の情報を表示している。写真画像の表示によって表示ラベルＬｂの取扱管理の情報を示すことで、ラベルシートＬＳの取扱者に視覚的に分かり易く情報を伝えることが可能になる。
【００２６】
このようにして、本実施の形態のラベルシートＬＳでは、対象物に付ける表示ラベルＬｂを管理するための所定の情報内容を保持した管理ラベルＬａを設けることにより、表示ラベルＬｂを適切に管理することができる。
【００２７】
次に、ラベルシートを作成するラベルシート作成装置について説明する。図６は本発明の実施形態に係るラベルシートを作成するラベルシート作成装置の平面図、図７はそのラベルシート作成装置に使用するテープカセットの外観及びラベルシート作成装置の内部構造の一部を示す斜視図である。図６及び図７に示すように、ラベルシート作成装置１は、装置本体２の上面にキー入力部３、表示部４、および開閉蓋５を備えている。開閉蓋５の内側には印字テープ３１及びインクリボン３５を収容したテープカセット２１を装填するためのカセット装填部６が形成されており、テープカセット２１は開閉蓋５を開放した状態でカセット装填部６に着脱可能に装填される。
【００２８】
キー入力部３は、印字する文字列のデータを入力する文字キー、印字開始を指示する印字キー、表示部４の表示画面上のカーソルを移動操作するカーソルキー、入力された文字列の編集処理、各種設定処理、印字処理等に必要な種々の制御キーを備えている。
【００２９】
表示部４は液晶表示装置であり、入力されたデータや各種設定のための選択メニュー画面や処理に関するメッセージなどが表示されると共に、作成されるラベルの長さや印字モードの状態などの各種の情報を表示する。
【００３０】
カセット装填部６内には、印字素子が縦方向に配列され印字テープ３１に印字するサーマルヘッド７と、サーマルヘッド７との間で印字テープ３１及びインクリボン３５を挟んでこれを搬送するプラテンローラ８と、使用したインクリボン３５をテープカセット２１内に巻き取るリボン巻取軸９とを備え、更に、テープカセット２１を所定の位置に支持するためのカセット受部１０やテープカセット２１に嵌合して位置決めをする嵌合軸１１を備えている。また、カセット装填部６の一端部には装置本体２外に通じる排出口１２が形成されており、この排出口１２には、モータにより駆動されて印字テープ３１の剥離テープ層を残して印字テープ層を切断することにより管理ラベルＬａと表示ラベルＬｂ及び表示ラベルＬｂ間にハーフカットＨＣを施すハーフカッタ１３が設けられ、同じくモータによって駆動され管理ラベルＬａと表示ラベルＬｂが形成されたラベルシートＬＳを印字テープ３１から切り離すためのフルカッタ１４が設けられている。
【００３１】
一方、テープカセット２１は、上ケース２２ａと下ケース２２ｂを組み合わせて構成したカセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。このテープカセット２１のカセットケース２２には、カセット装填部３６内にテープカセット２１を装填したときにサーマルヘッド７が配置されるヘッド配置部２７が形成されており、また、カセットケース２２の隅部には、カセット装填部６のカセット受部１０に係合してそれに支持される被係合部２９が形成されている。
【００３２】
テープカセット２１をカセット装填部６に装填して印字開始の指示をすると、印字テープ３１とインクリボン３５とがテープカセット２１から引き出され、重ね合わせた状態でプラテンローラ８とサーマルヘッド７の間に挟まれて共に搬送されると共に、サーマルヘッド７がキー入力部３から入力された印字データに基づいて発熱駆動されてインクリボン３５のインクが印字テープ３１に熱転写されて印字が行われる。
【００３３】
図８はラベルシート作成装置の電子回路の構成を示すブロック図である。同図に示すように、このラベルシート作成装置の電子回路には、ＣＰＵからなる制御部５０が備えられ、制御部５０は、キー入力部３からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３３、ＲＯＭ５１、ＲＡＭ５２が接続される他、表示用の文字フォントを格納する表示用フォントＲＯＭ５３、印字用の文字フォントを格納する印字用フォントＲＯＭ５４、サーマルヘッド７を印字データに応じて発熱駆動する駆動回路５５、プラテンローラ８及びリボン巻取軸９を駆動するためのステップモータからなる搬送モータ５６の駆動回路５７、ハーフカッタ１３及びフルカッタ１４を駆動するためのカッタモータ５８の駆動回路５９が接続され、また入力された文字データなどを表示するための表示部４が接続される。
【００３４】
ＲＯＭ５１には、キー入力部２から入力された情報を２次元コードのパターン情報に変換するプログラム、２次元コードや文字情報のパターン情報を印字するためのプログラムの他、ラベルシート作成装置１の動作の制御に関するプログラムが記憶されている。
【００３５】
また、ＲＡＭ５２には、キー入力される前記管理ラベルＬａ及び前記表示ラベルＬｂに印字する文字情報などを記憶する管理情報メモリ及び表示情報メモリのメモリ領域が確保されると共に、入力された文字情報や作成された２次元コードのパターン情報が展開されて記憶される印字情報メモリ、表示部４に表示されるパターン情報が記憶される表示情報メモリの各領域が確保され、印字処理などに必要な情報を一時的に記憶するレジスタやカウンタが設けられている。なお、図示しないが、写真画像を取り込むために写真画像を記憶した外部記憶装置と接続可能にもなっている。
【００３６】
以下、本実施の形態のラベルシートを作成する印字処理について、図９のフローチャートに従って説明する。この印字処理が開始されると、図１０（ａ）に示す選択画面６０によってラベルシートＬＳの印字フォーマットの選択を行う。この印字フォーマットの選択では、管理ラベルＬａと表示ラベルＬｂに表示する情報の種類の組み合わせを選択するものであり、図１０（ａ）に図示するように、管理ラベルＬａと表示ラベルＬｂの情報の組み合わせが、文字と文字の場合、ＱＲコードのシンボル画像と文字の場合、文字とＱＲコードのシンボル画像の場合、あるいは画像と文字の場合から１つを選択することができる（ステップＳ１）。
【００３７】
この印字フォーマットが選択されると、次に、図１０（ｂ）に示す入力編集画面７０によって、文字情報、ＱＲコードのシンボル画像に変換する文字情報、あるいは画像情報など、選択された印字フォーマットに従った表示ラベルＬｂに印字する表示情報が操作者によって入力され、その情報がＲＡＭ５２の表示情報メモリ領域に記憶される（ステップＳ２）。また、管理ラベルＬａに表示する管理情報として、情報の内容が表示ラベルＬｂに表示する表示情報としては適当ではない表示ラベルＬｂの管理情報が、図１０（ｃ）の入力編集画面８０から操作者によって入力される。この管理情報は、文字情報やＱＲコードのシンボル画像に変換する文字情報などで入力され、その情報がＲＡＭ５２の管理情報メモリ領域に記憶される（ステップＳ３）。更に、作成する表示ラベルＬｂの印字枚数が操作者によって入力され、その印字枚数のデータがＲＡＭ５２に設定される（ステップＳ４）。
【００３８】
そこで、操作者によって印字開始の指示がされると（ステップＳ５）、ＲＡＭ５２の管理情報メモリに記憶されている管理情報の印字情報が作成される。管理情報として印字する情報が文字であれば、入力された文字情報の印字パターン情報がＲＡＭ５２に展開され、また管理情報として印字する情報がＱＲコードのシンボル画像であれば、入力されたＱＲコードへの変換用の文字情報がＱＲコードのシンボル画像のパターン情報に変換され、また管理情報が写真画像情報であれば、その写真画像の印字情報が生成される（ステップＳ６）。生成された印字情報はサーマルヘッド７に転送され、その印字情報に基づいてサーマルヘッド７が駆動されて、プラテンローラ８によって搬送される印字テープ３１に対して管理情報が印字されることによって管理ラベルＬａが作成される（ステップＳ７）。この管理ラベルＬａの作成が終了すると、ハーフカッタ１３が駆動されて管理ラベルＬａの印字領域の端部で印字テープ３１にハーフカットＨＣが施される（ステップＳ８）。
【００３９】
次に、ＲＡＭ５２の表示情報メモリに記憶されている表示情報に基づいて表示ラベルＬｂに表示する印字情報が作成され（ステップＳ９）、この印字情報に基づいてサーマルヘッド７が駆動されて、管理ラベルＬａが作成された次のテープ上領域に表示情報が印字され表示ラベルＬｂが形成される（ステップＳ１０）。この表示ラベルＬｂの印字が終了すると、印字枚数がカウントされるとともに（ステップＳ１１）、そのカウント値が設定枚数かどうか判断され（ステップＳ１２）、設定枚数に達していなければ、ハーフカッタ１３が駆動されて印字を終了した表示ラベルＬｂの印字領域の端部で印字テープ３１にハーフカットＨＣが施され（ステップＳ１３）、ステップＳ１０に戻って次の表示ラベルＬｂの印字が行われる。そして、表示ラベルＬｂの印字枚数が設定枚数に達するまで表示ラベルＬｂの印字が繰り返される。表示ラベルＬｂの印字枚数が設定枚数になると、フルカッタ１４が駆動されて管理ラベルＬａ及び表示ラベルＬｂを有するラベルシートＬＳを印字テープ３１から切り離すテープ切断処理が行われる（ステップＳ１４）。この結果、図１ないし図５のラベルシートＬＳが作成されることになる。
【００４０】
このように、本実施の形態のラベルシート作成装置１によれば、対象物に付ける所定の情報を表示する表示ラベルＬｂを印字すると共に、情報の内容が表示ラベルＬｂに表示する表示情報としては適当ではない表示ラベルＬｂの管理情報を表示する管理ラベルＬａを印字してラベルシートＬＳを作成するため、表示ラベルＬｂを適切に管理できるラベルシートＬＳを作成することができる。
【図面の簡単な説明】
【００４１】
【図１】本発明の実施形態に係るラベルシートの説明図。
【図２】本発明の実施形態に係る他のラベルシートの説明図。
【図３】本発明の実施形態に係る更に他のラベルシートの説明図。
【図４】本発明の実施形態に係る更に他のラベルシートの説明図。
【図５】本発明の実施形態に係る更に他のラベルシートの説明図。
【図６】本発明の実施形態に係るラベルシート作成装置の平面図。
【図７】そのラベルシート作成装置の要部及びテープカセットの斜視図。
【図８】そのラベルシート作成装置の電子回路のブロック図。
【図９】そのラベルシート作成装置の印字処理のフローチャート。
【図１０】そのラベルシート作成装置の印字処理における表示画面の説明図。
【符号の説明】
【００４２】
１…ラベルシート作成装置
２…装置本体
３…キー入力部
４…表示部
５…開閉蓋
６…カセット装填部
７…サーマルヘッド
８…プラテンローラ
２１…テープカセット
３１…印字テープ
５０…制御部
５１…ＲＯＭ
５２…ＲＡＭ
【図１】
2007256816.tif 000003
【図２】
2007256816.tif 000004
【図３】
2007256816.tif 000005
【図４】
2007256816.tif 000006
【図５】
2007256816.tif 000007
【図６】
2007256816.tif 000008
【図７】
2007256816.tif 000009
【図８】
2007256816.tif 000010
【図９】
2007256816.tif 000011
【図１０】
2007256816.tif 000012